(57)【要約】【課題】ヘッド部の向きを所望の方向に容易に調節可能な首掛け型機器を提供する。【解決手段】首に掛ける首掛け部１０と、首掛け部１０に設けられるヘッド部２０とを有する首掛け型機器１であって、首掛け部１０は、首に掛けた際に首の前側に位置してヘッド部２０が取付けられるヘッド取付部１２を有し、ヘッド部２０は、首掛け部１０を首に掛けた際に、左右方向に延在する軸２５を中心に所定角度範囲で回転可能となるようにヘッド取付部１２に取付けられている首掛け型機器１である。【選択図】図１
2020094519.tif 000002
【特許請求の範囲】
【請求項１】
首に掛ける首掛け部と、該首掛け部に設けられるヘッド部とを有する首掛け型機器であって、
前記首掛け部は、首に掛けた際に首の前側に位置して前記ヘッド部が取付けられるヘッド取付部を有し、
前記ヘッド部は、前記首掛け部を首に掛けた際に、左右方向に延在する軸を中心に所定角度範囲で回転可能となるように前記ヘッド取付部に取付けられていることを特徴とする首掛け型機器。
【請求項２】
前記首掛け部は、前記首掛け部の内側に形成される空間領域に設けられることを特徴とする請求項１に記載の首掛け型機器。
【請求項３】
前記首掛け部は、首の後部に掛けられるＵ字状部と、該Ｕ字状部と前記ヘッド取付部との間に設けられ、任意の方向に曲げることができるフレキシブル接続部とを有することを特徴とする請求項１または２に記載の首掛け型機器。
【請求項４】
前記ヘッド部は、送風部を有することを特徴とする請求項１〜３のいずれか１項に記載の首掛け型機器。
【発明の詳細な説明】
【技術分野】
【０００１】
本発明は、首に掛ける首掛け部と、この首掛け部に設けられるヘッド部とを有する首掛け型機器に関し、例えばヘッド部として扇風機を採用した首掛け型機器に関する。
【背景技術】
【０００２】
首に掛ける首掛け部と、この首掛け部に設けられるヘッド部とを有する首掛け型機器として、例えば、ヘッド部としてファンを有する扇風機を採用した首掛け型扇風機が知られている。このような首掛け型扇風機として、例えば特許文献１に挙げるようなものがある。
【先行技術文献】
【特許文献】
【０００３】
【特許文献１】韓国特許登録第１０１８５７０４７号明細書
【発明の概要】
【発明が解決しようとする課題】
【０００４】
特許文献１の首掛け型扇風機は、ファンを有するヘッド部が首掛け部の先端部に、先端部が延長する方向に突出するように設けられている。また、首掛け部の先端部とヘッド部との間には、角度調節部が設けられており、首掛け部に対してヘッド部の向きを調節ずることができる。
【０００５】
特許文献１には、角度調節部として、複数本の鉄心をチューブで覆うもの（第１のタイプ）か、あるいは、首掛け部の一部を構成する棒状の連結部材の両端部に、相手部材に対して取付軸周りに一定角度の範囲で回転できる関節部と称する機構を設けたもの（第２のタイプ）が開示されており、この角度調整部により、首掛け部に対してヘッド部の向きを調節することができる。
【０００６】
しかし、上述した従来の首掛け型扇風機においては、ヘッド部が首掛け部の先端部に、先端部がさらに延長する方向に突出して設けられているため、首掛け部を首に掛けた状態でヘッド部を首掛け部よりも下側に向けると、ヘッド部の背面側が使用者に向いてしまうため、首掛け部よりも下側、例えば、胸部に向けた送風ができないといった課題があった。
【０００７】
また、首掛け部を首に掛けた状態、すなわち、首掛け部の先端部が斜め下方を向いた状態でヘッド部を顔に向ける場合、第１のタイプの角度調節部においては、角度調節部を大きく曲げてヘッド部を起こさなければならず、複数本の鉄心の剛性のため、角度調節部を大きく曲げ難いといった課題があった、また、鉄心の剛性や反発のため、ヘッド部の微妙な向きの調節が難しいといった課題があった。
【０００８】
さらに、第２のタイプの角度調節部においては、二つの関節部でヘッド部の向きを調節するため、それぞれの関節部での角度調節が必要となり、ヘッド部の向きの調節が面倒であると共に、ヘッド部の微妙な向きの調節が難しいといった課題があった。
【０００９】
本発明は前記課題を鑑みてなされたものであり、首掛け部を使用者の首に掛けた状態で、ヘッド部の上下方向の向きを容易に調節でき、しかも、使用者の顔から胸にかけて、ヘッド部の出力側（扇風機の場合は風が出る面）の向きを調節できる首掛け型機器を提供することを目的とする。
【課題を解決するための手段】
【００１０】
前記課題を解決するため、請求項１の発明に係る首掛け型機器は、首に掛ける首掛け部と、該首掛け部に設けられるヘッド部とを有する首掛け型機器であって、
前記首掛け部は、首に掛けた際に首の前側に位置して前記ヘッド部が取付けられるヘッド取付部を有し、
前記ヘッド部は、前記首掛け部を首に掛けた際に、左右方向に延在する軸を中心に所定角度範囲で回転可能となるように前記ヘッド取付部に取付けられていることを特徴として構成されている。
【００１１】
請求項１に係る発明によれば、ヘッド部が、首掛け部を首に掛けた際に、左右方向に延在する軸を中心に所定角度範囲で回転可能であるため、首掛け部を使用者の首に掛けた状態でヘッド部の上下方向の向きを容易に調節することができる。また、使用者の顔から胸にかけて、ヘッド部の向きを調節することができる。
【００１２】
また、請求項２の発明に係る首掛け型機器は、前記首掛け部は、前記首掛け部の内側に形成される空間領域に設けられることを特徴として構成されている。
【００１３】
請求項２に係る発明によれば、ヘッド部とヘッド取付部との位置関係からヘッド部の向きを顔、首、胸にかけてより容易に調節することができる。
【００１４】
また、請求項３の発明に係る首掛け型機器は、前記首掛け部は、首の後部に掛けられるＵ字状部と、該Ｕ字状部と前記ヘッド取付部との間に設けられ、任意の方向に曲げることができるフレキシブル接続部とを有することを特徴として構成されている。
【００１５】
請求項３に係る発明によれば、フレキシブル接続部を曲げることで、ヘッド部の向きをより柔軟に調節することができる。
【００１６】
また、請求項４の発明に係る首掛け型機器は、前記ヘッド部は、送風部を有することを特徴として構成されている。
【００１７】
請求項４に係る発明によれば、ヘッド部を顔、首または胸に向けて風を送ることができる。
【発明の効果】
【００１８】
本発明に係る首掛け型機器によれば、首掛け部を使用者の首に掛けた状態で、ヘッド部の上下方向の向きを容易に調節でき、しかも、使用者の顔から胸にかけて、ヘッド部の出力側（扇風機の場合は風が出る面）の向きを調節できる。よって、機器として扇風機を採用した場合、ヘッド部の向きを調節することで、使用者の顔から胸にかけて、送風することができる。
【図面の簡単な説明】
【００１９】
【図１】本実施形態における首掛け型扇風機の正面図である。
【図２】首掛け型扇風機の側面図である。
【図３】ヘッド部を顔の方向に向けた首掛け型扇風機の使用状態を示す斜視図である。
【図４】ヘッド部を胸の方向に向けた首掛け型扇風機の使用状態を示す斜視図である。
【図５】ヘッド部を折り畳んだ状態の首掛け型扇風機の正面図である。
【発明を実施するための形態】
【００２０】
本発明の実施形態について図面に沿って詳細に説明する。本実施形態では、首掛け型機器の一例として、ヘッド部として扇風機を採用した首掛け型扇風機について説明する。図１には本実施形態における首掛け型扇風機１の正面図を、図２には首掛け型扇風機１の側面図を、それぞれ示している。本実施形態の首掛け型扇風機１は、ヘッド部２０として扇風機を有しており、使用者は首掛け型扇風機１を首に掛けて、ヘッド部２０の正面（風が出る面）を顔、首、胸等の方向に向けることにより、身体の広い範囲に渡って風を受けて涼しさを感じることができるものである。
【００２１】
首掛け型扇風機１は、使用者の首に掛ける部分である首掛け部１０と、首掛け部１０の両先端部近傍に配置される２つのヘッド部２０とを有している。首掛け部１０は、首の後部に掛けられるように構成されたＵ字状部１１と、このＵ字状部１１の両先端側に設けられ、ヘッド部２０を所定角度範囲において回転可能に取付けるヘッド取付部１２と、Ｕ字状部１１の両先端部とヘッド取付部１２との間に接続され、任意の方向に曲げることができるフレキシブル接続部１３とを有している。ヘッド取付部１２は、首掛け部１０を首に掛けた際には、Ｕ字状部１１から首の前側に向かって延びた状態となる。首掛け部１０は、Ｕ字状部１１、ヘッド取付部１２及びフレキシブル接続部１３により、内側に空間領域Ａを形成している。フレキシブル接続部１３の具体的な構成等については、後述する。
【００２２】
ヘッド部２０は、ヘッド取付部１２の先端近傍に設けられている。ヘッド部２０は、ヘッド取付部１２が延在する方向と略直交する方向であって、ヘッド取付部１２に対し首掛け部１０の空間領域Ａに向かって突出するように取付けられている。また、ヘッド部２０は、使用者が首掛け部１０を首に掛けた際に、左右方向に延在する軸を中心に所定角度範囲で回転可能となるようにヘッド取付部１２に取付けられている。なお、左右方向に延在する軸は、実在する軸部材に限定されず、仮想軸であってもよい。以下、ヘッド部２０の取付構造等について詳細に説明する。ヘッド部２０は、ヘッド取付部１２と略直交し、空間領域Ａの方向（図１においては図面左右方向、図２においては図面表裏方向）に向かう支持軸２５に、所定角度範囲において回転可能に取付けられている。図２において破線で示すように、ヘッド部２０は、支持軸２５を中心に周方向両側（首掛け部１０を首に掛けた際には、上下両方向）に向かって所定の角度範囲で回転できるため、首掛け部１０に対してヘッド部２０の上下方向の向きを容易に調節することができる。なお、ヘッド部２０の取付構造は、ヘッド取付部１２に対して回転可能であれば、本実施形態に限定されず、任意の構造を採用することができる。また、所定角度範囲とは、３６０度未満である必要はなく、３６０度を超えて１回転できるものであってよい。必要な角度範囲は、機器に応じて任意に設定できる。回転可能な角度範囲を３６０度未満に設定する場合は、例えばストッパ機構を設けることで、必要角度以上の回転を規制できる。
【００２３】
上述したように、Ｕ字状部１１とヘッド取付部１２との間には、フレキシブル接続部１３が設けられている。このフレキシブル接続部１３は、任意の方向に容易に曲げることができ、かつ、曲げた状態を維持できるものであればよく、例えば、金属製の蛇腹の管状部材と、それを樹脂材で被覆したものが挙げられる。これにより、図１及び図２において破線で示すように、フレキシブル接続部１３は、任意の方向に曲がって、その状態を維持することができる。図１においては、フレキシブル接続部１３を図面の左右方向に曲げることで、２つのヘッド部２０、２０の間隔を調節できる様子を示している。また、図２においては、フレキシブル接続部１３を図面の左右方向に曲げることで、Ｕ字状部１１に対するヘッド部２０の向きや高さ方向の位置を調節できる様子を示している。このフレキシブル接続部１３により、Ｕ字状部１１に対して、ヘッド２０の向きや位置の調節ができる。このように、本実施形態では、ヘッド部２０は、ヘッド取付部１２に対して、支持軸２５を中心に向きの調節ができる。さらに、ヘッド部２０は、フレキシブル接続部１３により、Ｕ字状部１１に対して、向きや位置の調節ができる。
【００２４】
首掛け部１０は、内部に充電可能な電源部３０を有している。電源部３０からヘッド部２０までは、配線３１が設けられており、ヘッド部２０に電源を供給することができる。配線３１は、支持軸２５内を挿通している。ヘッド部２０は、配線３１を断線させないため、ヘッド取付部１２に対して回転可能な角度範囲を３６０度未満に制限されている。なお、配線３１が断線しないような接続構造とすれば、ヘッド部２０は、３６０度回転可能とすることもできる。
【００２５】
扇風機としてのヘッド部２０は、略円盤状の筐体２１内にファン２２とこのファン２２を回転させるモータ（不図示）を有し、筐体２１は、ファン２２の両側を覆うようにそれぞれガード部２３を有している。ヘッド部２０は、電源部３０からの電源によってファン２２が回転することで、その正面から方向Ｃ（図２参照）に向かって送風することができる。
【００２６】
図３及び図４には、首掛け扇風機１の使用状態の斜視図をそれぞれ示している。図３は、使用者の顔の下部及び首に向けて送風を行っている状態を表している。また、図４は、使用者の胸に向けて送風を行っている状態を表している。図３に示すように、使用時には、ヘッド部２０をヘッド取付部１２に対し回転させてヘッド２０の向きを調節すると共に、フレキシブル接続部１３を必要に応じて曲げて、ヘッド部２０の正面を使用者の顔の所望の位置に向ける。この状態でヘッド部２０のファン２２を作動させることにより、方向Ｃに向かって送風し、使用者の顔の方向に向かって風を送ることができる。
【００２７】
ヘッド部２０は、支持軸２５を中心に両方向へ回転するので、ヘッド部２０を使用者の顔に向かう方向へ容易に向けることができ、かつ、微妙な向きの調節も容易にできる。また、フレキシブル接続部１３は、容易に曲げることができ、かつ、曲げた状態を維持することができるので、ヘッド部２０の首掛け部１０に対する向きや高さ方向の位置等を容易に調節することができる。また、ヘッド部２０は、図３のように斜め上方に向けるだけでなく、図４に示すように、ヘッド部２０をヘッド取付部１２に対して下向き方向に所定角度回転させることで、ヘッド部２０の正面を斜め下方に容易に向けることもでき、送風方向を上下方向に任意に設定することができる。このため、使用者の顔だけでなく首や胸などに向かってヘッド部２０の正面を向けることで、従来の首掛け型扇風機では不可能であった胸への送風も可能となる。
【００２８】
図５には、ヘッド部２０を折り畳んだ状態の首掛け型扇風機１の正面図を示している。この図に示すように、フレキシブル接続部１３を空間領域Ａに向かって大きく曲げることにより、２つのヘッド部２０をそれぞれＵ字状部１１で形成される空間領域Ａに収容することができ、首掛け型扇風機１をコンパクトに折り畳むことができる。ヘッド部２０が、従来のようにヘッド取付部１２の先端部に、先端部がさらに延長する方向に突出することがなく、ヘッド取付部１２から空間領域Ａに向かって突出するように設けられており、また、フレキシブル接続部１３がＵ字状部１１とヘッド取付部１２との間に設けられていることで、このようにヘッド部２０をＵ字状部１１で形成される空間領域Ａ内にコンパクトに収納することができる。
【００２９】
以上、本発明の実施形態について説明したが、本発明の適用は本実施形態には限られず、その技術的範囲において様々に適用され得る。例えば、本実施形態においては、ヘッド部２０を首掛け部１０の両端部に設けたものを例示したが、ヘッド部２０は、首掛け部１０のいずれか一方の端部にのみ設けてもよい。また、ヘッド部２０のコンパクトな収容等が不要であれば、フレキシブル接続部１３を削除し、Ｕ字状部１１の両先端部を延長してヘッド取付部１２に直接接続してもよく、また、Ｕ字状部１１とヘッド取付部１２を別体とせずに、Ｕ字状部１１の先端側を延長して、その先端部をヘッド取付部１２としてもよい。また、ヘッド部２０は、ファン２２を有する扇風機だけでなく、例えば、ミスト発生器、ミスト噴霧器など他の機能を有するものであってもよく、適用範囲は任意である。
【００３０】
また、首掛け部１０の形状は、使用者の首に掛けられる形状であればよく、本実施形態の形状に限られない。また、Ｕ字状部１１の全体がフレキシブル部材で構成されていてもよい。
【符号の説明】
【００３１】
１    首掛け型扇風機
１０    首掛け部
１１    Ｕ字状部
１２    ヘッド取付部
１３    フレキシブル接続部
２０    ヘッド部
２１    筐体
２２    ファン
２３    ガード部
２５    支持軸
３０    電源部
３１    配線
【図１】
2020094519.tif 000003
【図２】
2020094519.tif 000004
【図３】
2020094519.tif 000005
【図４】
2020094519.tif 000006
【図５】
2020094519.tif 000007
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
首に掛ける首掛け部と、該首掛け部に設けられ送風部を有する左右のヘッド部とを有する首掛け型機器であって、
前記首掛け部は、首に掛けた際に首の前側に位置して前記ヘッド部が取付けられるヘッド取付部を左右両側に有し、
前記ヘッド部は、前記首掛け部を首に掛けた際に、左右方向に延在する軸を中心に所定角度範囲で回転可能となるように前記ヘッド取付部に取付けられており、
前記軸は、前記ヘッド取付部の先端より首の後側寄りの位置に、前記首掛け部の内側に形成される空間領域に向かって突出するように設けられ、
前記軸に取付けられる前記ヘッド部は、前記空間領域に配置され、前記首掛け部を首に掛けた状態で前記軸に対して回転することで、前記送風部が面する向きを身体に向かう上下方向に任意に設定できることを特徴とする首掛け型機器。
【請求項２】
前記首掛け部は、首の後部に掛けられるＵ字状部と、該Ｕ字状部と前記ヘッド取付部との間に設けられ、任意の方向に曲げることができるフレキシブル接続部とを有することを特徴とする請求項１に記載の首掛け型機器。
【手続補正２】
【補正対象書類名】明細書
【補正対象項目名】００１０
【補正方法】変更
【補正の内容】
【００１０】
前記課題を解決するため、請求項１の発明に係る首掛け型機器は、首に掛ける首掛け部と、該首掛け部に設けられ送風部を有する左右のヘッド部とを有する首掛け型機器であって、
前記首掛け部は、首に掛けた際に首の前側に位置して前記ヘッド部が取付けられるヘッド取付部を左右両側に有し、
前記ヘッド部は、前記首掛け部を首に掛けた際に、左右方向に延在する軸を中心に所定角度範囲で回転可能となるように前記ヘッド取付部に取付けられており、
前記軸は、前記ヘッド取付部の先端より首の後側寄りの位置に、前記首掛け部の内側に形成される空間領域に向かって突出するように設けられ、
前記軸に取付けられる前記ヘッド部は、前記空間領域に配置され、前記首掛け部を首に掛けた状態で前記軸に対して回転することで、前記送風部が面する向きを身体に向かう上下方向に任意に設定できることを特徴として構成されている。
【手続補正３】
【補正対象書類名】明細書
【補正対象項目名】００１１
【補正方法】変更
【補正の内容】
【００１１】
請求項１に係る発明によれば、ヘッド部が、首掛け部を首に掛けた際に、左右方向に延在する軸を中心に所定角度範囲で回転可能であるため、首掛け部を使用者の首に掛けた状態でヘッド部の上下方向の向きを容易に調節することができる。また、使用者の顔から胸にかけて、ヘッド部の向きを調節することができる。また、ヘッド部とヘッド取付部との位置関係からヘッド部の向きを顔、首、胸にかけてより容易に調節することができる。さらに、ヘッド部を顔、首または胸に向けて風を送ることができる。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
また、請求項２の発明に係る首掛け型機器は、前記首掛け部は、首の後部に掛けられるＵ字状部と、該Ｕ字状部と前記ヘッド取付部との間に設けられ、任意の方向に曲げることができるフレキシブル接続部とを有することを特徴として構成されている。
【手続補正７】
【補正対象書類名】明細書
【補正対象項目名】００１５
【補正方法】変更
【補正の内容】
【００１５】
請求項２に係る発明によれば、フレキシブル接続部を曲げることで、ヘッド部の向きをより柔軟に調節することができる。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】